(57)【特許請求の範囲】
【請求項１】
使用者が装着する装着型使用者状態情報取得装置であって、
前記使用者の生体的特徴を示す生体情報を取得する生体情報取得手段、
前記生体情報を用いて前記使用者を認証する認証手段、
前記使用者の健康状態を示す健康情報を取得する健康情報取得手段、
前記使用者の位置を示す位置情報を取得する位置情報取得手段、
認証された前記使用者を示す使用者認証情報と、前記位置情報及び前記健康情報とを関連付け使用者状態情報として記憶する制御手段、
を有する装着型使用者状態情報取得装置。
【請求項２】
請求項１に係る装着型使用者状態情報取得装置において、
前記生体情報取得手段は、
赤外光を前記使用者の皮膚方向に投光する赤外光投光部、
投光した前記赤外光の反射光を受光する赤外光受光部、
前記反射光から前記使用者の静脈パターンを前記生体情報として生成する静脈パターン生成手段、
を有すること、
を特徴とする装着型使用者状態情報取得装置。
【請求項３】
請求項２に係る装着型使用者状態情報取得装置において、
前記認証手段は、
所定時間に認証処理を実行すること、
を特徴とする装着型使用者状態情報取得装置。
【請求項４】
請求項３に係る装着型使用者状態情報取得装置において、
前記位置情報取得手段は、
屋内においても、前記位置情報を取得できること、
を特徴とする装着型使用者状態情報取得装置。
【請求項５】
請求項４に係る装着型使用者状態情報取得装置において、
前記位置情報取得手段が、
照明設備が光として発信する前記照明設備を特定する照明設備特定情報を受信する受光手段、
を有する装着型使用者状態情報取得装置。
【請求項６】
請求項５に係る装着型使用者状態情報取得装置において、
前記位置情報取得手段は、
前記使用者の移動を移動情報として取得する三次元加速度計測手段又は三次元地磁気計測手段の少なくとも一方を有し、
前記移動情報に基づき前記使用者が移動していないと判断すると、前記位置情報を取得しないこと、
を特徴とする装着型使用者状態情報取得装置。
【請求項７】
請求項６に係る装着型使用者状態情報取得装置において、
前記健康情報取得手段は、
前記使用者の脈拍を脈拍情報として取得する脈拍情報取得手段、前記使用者の心電図に関する心電情報として取得する心電情報取得手段、前記使用者の血中酸素濃度を取得する血中酸素濃度取得手段、前記使用者の相対血圧変動を取得する相対血圧変動取得手段、及び前記使用者の体温を取得する体温取得手段のうち少なくとも一つを有すること、
を特徴とする装着型使用者状態情報取得装置。
【請求項８】
請求項７に係る装着型使用者状態情報取得装置において、
前記使用者の手首部に装着されること、
を特徴とする装着型使用者状態情報取得装置。
【発明の詳細な説明】
【技術分野】
【０００１】
本発明は、使用者の状態情報を取得する装着型使用者状態情報取得装置に関し、特に、使用者の所定位置に装着されるものに関する。
【背景技術】
【０００２】
従来の装着型使用者状態情報取得装置である無線センサ端末について図６を用いて説明する。無線センサ端末は、腕時計として使用者に装着される。腕時計は必需品であり、使用者は余計なものを装着している感じをもたなくなり、日常的かつ自然な感覚で無線センサ端末を装着できる。一言で言えば、装着による違和感がなくなるのである。したがって、装着率が上がり、当然のことながら一日の使用時間も長くなる。また、装着による使用者の負担も激減する。
【０００３】
使用中、使用者の脈拍が脈拍センサ４０により検出され、そのデータがプロセッサ基板３０上の無線回路から発信される。この無線回路は単なる通信機能だけでなく無線中継機能を有し、これによりマルチホップによる無線センサネットワークシステム（ＭＯＴＥシステム）を構築することは前述したとおりである。かくして、使用者の脈拍がホストコンピュータにより遠隔から継続的に集中管理されることになる（以上、特許文献１参照）。
【先行技術文献】
【特許文献】
【０００４】
【特許文献１】特開２０１０−１４４７１号公報
【発明の概要】
【発明が解決しようとする課題】
【０００５】
前述の無線センサ端末には、以下に示すような改善すべき点がある。前述の無線センサ端末は、脈拍センサ４０を介して使用者の脈拍を取得する。そして、ホストコンピュータは、無線センサ端末から取得した脈拍を集中管理する。
【０００６】
ここで、ホストコンピュータが所定の使用者に関して脈拍を管理する場合、無線センサ端末から取得した脈拍が所定の使用者に関するものであるとの保証はない。例えば、ホストコンピュータにおいて所定の使用者と無線センサ端末とを関連付けて管理していたとしても、所定の使用者とは異なる使用者が無線センサ端末を使用する場合がある。また、使用者が無線センサ端末において所定の使用者であることをボタン操作等により宣言する場合であっても、所定の使用者とは異なる使用者によるボタンが操作させる場合もある。
【０００７】
そこで、本発明は、所定の使用者のみの位置情報、健康情報を取得することができる装着型使用者状態情報取得装置を提供することを目的とする。
【発明の効果】
【０００８】
本発明における課題を解決するための手段及び発明の効果を以下に示す。
【０００９】
本発明に係る健康管理システムは、使用者が装着する装着型使用者状態情報取得装置、及び、ネットワークを介して前記使用者に関する健康情報を取得する健康情報管理装置を有する健康管理システムにおいて、前記装着型使用者状態情報取得装置は、前記使用者の生体的特徴を示す生体情報を取得する生体情報取得手段、前記生体情報を用いて前記使用者を認証する認証手段、前記使用者の健康状態を示す健康情報を取得する健康情報取得手段、前記使用者の位置を示す位置情報を取得する位置情報取得手段、認証された前記使用者を示す使用者認証情報と、前記位置情報及び前記健康情報とを関連付け使用者状態情報として記憶する制御手段、を有し、前記件情報管理装置は、前記使用者状態情報を取得する使用者状態情報取得手段、前記使用者状態情報に基づき、前記使用者の前記健康情報を管理する健康情報管理手段、を有すること、を特徴とする。
【００１０】
これにより、認証した使用者のみの位置情報及び健康情報を取得することができるので、常時、使用者の健康状態や行動を管理することができる。
【００１１】
本発明に係る装着型使用者状態情報取得装置は、使用者が装着する装着型使用者状態情報取得装置であって、前記使用者の生体的特徴を示す生体情報を取得する生体情報取得手段、
前記生体情報を用いて前記使用者を認証する認証手段、前記使用者の健康状態を示す健康情報を取得する健康情報取得手段、前記使用者の位置を示す位置情報を取得する位置情報取得手段、認証された前記使用者を示す使用者認証情報と、前記位置情報及び前記健康情報とを関連付け使用者状態情報として記憶する制御手段、を有する。
【００１２】
これにより、認証した使用者のみの位置情報及び健康情報を取得することができる。
【００１３】
本発明に係る装着型使用者状態情報取得装置では、前記生体情報取得手段は、赤外光を前記使用者の皮膚方向に投光する赤外光投光部、投光した前記赤外光の反射光を受光する赤外光受光部、前記反射光から前記使用者の静脈パターンを前記生体情報として生成する静脈パターン生成手段、を有すること、を特徴とする。
【００１４】
これにより、静脈パターンを用いた使用者の認証を、赤外光及びその反射光を用いて容易に実現することができる。
【００１５】
本発明に係る装着型使用者状態情報取得装置では、前記認証手段は、所定時間に認証処理を実行すること、を特徴とする。
【００１６】
これにより、余分な投受光による消費電流を削減することができる。よって、より長時間動作させることができる。
【００１７】
本発明に係る装着型使用者状態情報取得装置では、前記位置情報取得手段は、屋内においても、前記位置情報を取得できること、を特徴とする。
【００１８】
これにより、屋内外にかかわらず、常時、使用者の位置を取得することができる。
【００１９】
本発明に係る装着型使用者状態情報取得装置では、前記位置情報取得手段が、照明設備が光として発信する前記照明設備を特定する照明設備特定情報を受信する受光手段、を有する。
【００２０】
これにより、使用者が照明設備の光が届く範囲に位置すれば、当該照明設備の配置位置から使用者の位置を特定することができる。
【００２１】
本発明に係る装着型使用者状態情報取得装置では、前記位置情報取得手段は、前記使用者の移動を移動情報として取得する三次元加速度計測手段又は三次元地磁気計測手段の少なくとも一方を有し、前記移動情報に基づき前記使用者が移動していないと判断すると、前記位置情報を取得しないこと、を特徴とする。
【００２２】
これにより、使用者が移動していないときは位置情報の取得を行わないので、位置情報取得による消費電流を削減することができる。よって、より長時間動作させることができる。
【００２３】
本発明に係る装着型使用者状態情報取得装置では、前記健康情報取得手段は、前記使用者の脈拍を脈拍情報として取得する脈拍情報取得手段、前記使用者の心電図に関する心電情報として取得する心電情報取得手段、前記使用者の血中酸素濃度を取得する血中酸素濃度取得手段、前記使用者の相対血圧変動を取得する相対血圧変動取得手段、及び前記使用者の体温を取得する体温取得手段のうち少なくとも一つを有すること、を特徴とする。
【００２４】
これにより、健康情報として脈拍、血中酸素状態、心電図、相対血圧変動、体温を、常時、取得することができる。
【００２５】
本発明に係る装着型使用者状態情報取得装置では、前記使用者の手首部に装着されること、を特徴とする。
【００２６】
これにより、使用者に負担を掛けることなく、常時、使用者の健康情報及び位置情報を取得することができる。
【図面の簡単な説明】
【００２７】
【図１】本発明に係る装着型使用者状態情報取得装置の一実施例であるバイタルセンサ１００の外観を示す図である。
【図２】バイタルセンサ１００の筐体部１０１の裏面を示す図である。
【図３】バイタルセンサ１００の内部に位置する回路部Ｃの構成を示す図である。
【図４】屋内測位部１３３ｎの位置特定を説明するための図である。
【図５】装着型使用者状態情報取得装置の他の実施形態を示す図である。
【図６】装着型使用者状態情報取得装置に関する従来技術を示す図である。
【発明を実施するための形態】
【００２８】
以下、本発明の実施例について、図面を参照しながら詳細に説明していく。
【実施例１】
【００２９】
本発明に係る装着型使用者状態情報取得装置であるバイタルセンサ１００は、使用者から静脈パターン情報を取得し、使用者の認証を行った後、使用者に関する健康情報及び位置情報を取得する。
【００３０】
使用者から認証のための静脈パターン情報を取得してから健康情報や位置情報を取得するまで、バイタルセンサ１００が使用者に装着された状態が維持されるため、確実に使用者に関する健康情報、位置情報を取得することができる。
【００３１】
第１  外観構成
バイタルセンサ１００の外観を図１に示す。バイタルセンサ１００は、筐体部１０１及びベルト部１０３を有している。バイタルセンサ１００は、いわゆる腕時計型の形状を有している。筐体部１０１は、内部に回路部Ｃを有している。回路部Ｃについては後述する。
【００３２】
筐体部１０１は、図２に示すように、使用者が装着した際に使用者の皮膚に接触する接触面Ｐ１０１を有している。接触面Ｐ１０１には、投光用開口Ａ１０１、受光用開口Ａ１０３、体温計測用開口Ａ１０５、及び、心電計電極用開口Ａ１０７が形成されている。
【００３３】
投光用開口Ａ１０１は、筐体部１０１の内部に配置される投光部１１１（後述）から皮膚の方向に所定の光を投光させるための開口である。受光用開口Ａ１０３は、筐体部１０１の内部に配置されている受光部１１３（後述）に投光した光の反射光を受光させるための開口である。
【００３４】
体温計測用開口Ａ１０５は、体温計測部１２１（後述）が有する温度センサ部１２１ａを使用者の皮膚に接触させて体温を計測するための開口である。
【００３５】
心電計電極用開口Ａ１０７は、心電計測部１２７における心電図の取得の際に使用する心電計電極１２７ａ（後述）を使用者の皮膚に接触させるための開口である。一対の心電計電極用開口Ａ１０７は、計測に必要な所定の間隔を設けて配置される。
【００３６】
ベルト部１０３は、一般的な腕時計のベルトと同様の構成を有している。ベルト部１０３は、使用者の腕の所定位置に筐体部１０１を固定する。このように、ベルト部１０３を用いて筐体部１０１を固定することによって、接触面Ｐ１０１を、使用者に負担をかけることなく、常時使用者の皮膚の所定の位置に接触させることができる。
【００３７】
第２  内部構成
バイタルセンサ１００の内部構成について図３を用いて説明する。回路部Ｃは、投光部１１１、受光部１１３、認証部１１５、体温計測部１２１、脈拍計測部１２３、血中酸素濃度計測部１２５、心電計測部１２７、相対血圧変動計測部１２９、無線通信部１３１、位置情報取得部１３３、表示部１３５、電源部１３７、及び主制御部１３９を有している。
【００３８】
１．投光部１１１
投光部１１１は、使用者がバイタルセンサ１００を装着する腕の皮膚方向に赤色光及び赤外光を投光する。投光部１１１としては、例えば、発光ダイオードをマトリックス状に配列した発光ダイオードアレイを用いることができる。
【００３９】
２．受光部１１３
受光部１１３は、投光部１１１が投光した赤色光及び赤外光の反射光を受光する。受光部１１３としては、例えば、フォトダイオードがマトリックス状に配置されたフォトダイオードアレイを用いることができる。
【００４０】
３．認証部１１５
認証部１１５は、受光部１１３が受光した赤外光の受光量から使用者の静脈パターン（以下、取得静脈パターン）を生成する。なお、反射光の受光量から使用者の静脈パターンを生成する方法については、一般的に用いられている方法を用いる。
【００４１】
認証部１１５は、取得静脈パターンと、予め記憶手段に記憶している使用者の静脈パターン（以下、基準静脈パターン）とを比較する。認証部１１５は、取得静脈パターンと基準静脈パターンとが一致すると判断すると、現在の使用者が予め登録されている使用者であるとする認証情報を生成する。一方、認証部１１５は、取得静脈パターンと基準静脈パターンとが一致しないと判断すると、現在の使用者が予め登録されている使用者でないとする認証情報を生成する。
【００４２】
一般的に、静脈パターンは各個人固有のものである。したがって、静脈パターンを用いることによって個人を特定する個人認証が可能となる。バイタルセンサ１００では、ベルト部１０３によって接触面Ｐ１０１が使用者の皮膚に常時接触した状態にできる。つまり、バイタルセンサ１００は、常時、使用者の静脈パターンを取得することができる。
【００４３】
また、使用者が体温、脈拍、血中酸素濃度、心電図、相対血圧変動等の健康情報を取得しようとすると、バイタルセンサ１００を装着する必要がある。そして、使用者がバイタルセンサ１００を装着すると、使用者の認証が行われる。つまり、バイタルセンサ１００を用いて取得した健康情報は、必ず、認証を受けた使用者に関するものとなる。
【００４４】
４．体温計測部１２１
体温計測部１２１は、温度センサ部１２１ａ及び体温計測制御部１２１ｂを有している。温度センサ部１２１ａは、使用者の皮膚に接触し、使用者の体温を計測する。なお、温度センサ部１２１ａとしては、体温計測に一般的に用いられているものを利用する。体温計測制御部１２１ｂは、温度センサ部１２１ａから取得した信号を用いて、使用者の体温を算出する。
【００４５】
５．脈拍計測部１２３
脈拍計測部１２３は、受光部１１３から赤外光の反射光の受光情報（赤外反射光情報）を取得する。脈拍計測部１２３は、赤外反射光情報から、血管位置での単位時間あたりの反射光の反射強度の変化を抽出し、脈拍を計測する。なお、反射光の反射強度は血液の流れによって変化することを利用した、血管位置での単位時間あたりの反射光の反射強度の変化から脈拍を計測する方法は、既知のものである。
【００４６】
６．血中酸素濃度計測部１２５
血中酸素濃度計測部１２５は、受光部１１３から赤色光の反射光の受光情報（赤色反射光情報）、及び、赤外反射光情報を取得する。血中酸素濃度計測部１２５は、赤色反射光情報及び赤外反射光情報を分析し、経皮的動脈血酸素飽和度（SpO2）を算出する。なお、赤色反射光情報及び赤外反射光情報から経皮的動脈血酸素飽和度を算出する方法については、既知の方法を利用する。
【００４７】
７．心電計測部１２７
心電計測部１２７は、心電計電極１２７ａ及び心電計測制御部１２７ｂを有している。心電計測制御部１２７ｂは、心電計電極１２７ａから取得した電気的信号から心電図を生成する。なお、心電計電極１２７ａから取得した電気的信号から心電図を生成する方法については、既知のものを利用する。 
【００４８】
８．相対血圧変動計測部１２９
相対血圧変動計測部１２９は、心電計電極１２７ａから取得した心電情報（心電図）から、心臓の収縮とほぼ同時に生じる電気的信号を検出し、検出した時間を心電検出時間とする。また、相対血圧変動計測部１２９は、受光部１１３から取得した赤外反射光情報から、測定部位にある血管を流れている血流量の変化の電気的信号を検出し、検出した時間を脈波検出時間とする。相対血圧変動計測部１２９は、心電検出時間と脈波検出時間との時間差から脈波伝播時間を算出する。相対血圧変動計測部１２９は、算出した脈波伝播時間を用いて、血圧の変化量である相対血圧変動を算出する。
【００４９】
なお、心臓の収縮によって生じた脈波が伝わる速度（脈波伝播速度）の変化量と血圧の変化量とは強い相関関係があることが知られている。また、脈波伝搬時間から脈波伝搬速度を算出する方法は、既知のものを用いる。さらに、脈波伝播時間を用いて血圧を推定するためには、脈波伝播時間と血圧との関係を特定する必要がある。
この関係は個人によって異なるため、 予め脈波伝播時間と血圧との関係を個人毎に所定の記憶部へ記憶しておく。 
【００５０】
１０．無線通信部１３１
無線通信部１３１は、ネットワークを介して通信可能な外部の健康管理サーバに対して使用者状態情報（後述）を送信する。無線通信部１３１では、例えば、無線ＬＡＮに用いられるＩＥＥＥ８０２．１１シリーズやＢＬＵＥＴＯＯＴＨ等の一般的な通信規格を用いる。
【００５１】
無線通信部１３１がＩＥＥＥ８０２．１１シリーズを用いる場合、無線通信部１３１は、所定のルータ等の中間接続装置を介してインターネットに接続し、健康管理サーバに使用者状態情報を送信すればよい。一方、無線通信部１３１がＢＬＵＥＴＯＯＴＨを用いる場合、ＢＬＵＥＴＯＯＴＨが利用できる携帯電話（例えば、スマートフォン）に接続し、一旦、携帯電話に使用者状態情報を送信し、使用者状態情報を受信した携帯電話が、利用可能なインターネットとの接続網を介して健康管理サーバに使用者状態情報を送信すればよい。
【００５２】
健康管理サーバは、バイタルセンサ１００から使用者状態情報を取得すると、使用者状態情報から抽出した使用者の健康情報から、使用者の健康状態を管理する。また、健康管理サーバは、使用者状態情報から抽出した使用者の位置情報から、使用者の行動を管理する。例えば、夜中に家の外を移動していることや、長時間、同じ位置に留まっているといった行動を見つけ出すことができる。この場合、使用者が高齢者であれば、徘徊の危険性や健康悪化といった、危険状態をいち早く認知することができる。
【００５３】
１１．位置情報取得部１３３
位置情報取得部１３３は、いわゆるＧＰＳ（Global
Positioning System）部１３３ｇ及び屋内測位部１３３ｎを有している。ＧＰＳ部１３３ｇについては、携帯電話等で一般的に用いられているものを適宜選択して使用する。
【００５４】
位置情報取得部１３３の屋内測位部１３３ｎについて、図４を用いて説明する。屋内測位部１３３ｎは、屋内照明として配置されるＬＥＤ電灯Ｌ１〜ＬＥＤ電灯Ｌ５から、それぞれが発信する所定のパルス光Ｐ１〜パルス光Ｐ５を受信することができる受光部を有している。ここで、ＬＥＤ電灯Ｌ１は、自らを一意に特定する固有ＩＤを含むパルス光Ｐ１を発信するものである。その他のＬＥＤ電灯Ｌ２〜ＬＥＤ電灯Ｌ５についても同様である。
【００５５】
これにより、バイタルセンサ１００を装着した使用者がＬＥＤ電灯Ｌ１〜ＬＥＤ電灯Ｌ５のいずれかの下に位置すれば、屋内測位部１３３ｎは、自動的に光学的にそのＬＥＤ電灯に対応する固有ＩＤを受信する。無線通信部１３１を介して受信した固有ＩＤを取得すれば、各ＬＥＤ電灯のパルス光が届く範囲から、屋内における使用者位置を特定することができる。図５においては、使用者は、ＬＥＤ電灯Ｌ３のパルス光Ｌ３が届く範囲に位置することを特定できる。ＬＥＤ電灯Ｌ１〜ＬＥＤ電灯Ｌ５のようなＬＥＤ電灯を、屋内の所定の位置に配置し、予めその位置を特定しておくことによって、屋内における使用者の位置を特定することができる。
【００５６】
なお、ＬＥＤ電灯Ｌ１〜ＬＥＤ電灯Ｌ５は、光を発しない場合でも、パルス光を周期的に発信する。これにより、昼間等、ＬＥＤ電灯を点灯させていない場合であっても、使用者の位置を特定することができる。パルス光を周期的に発信することによって、電力消費を低減することができる。
【００５７】
１２．表示部１３５
表示部１３５は、健康情報（体温計測部１２１で計測した体温、脈拍計測部１２３で計測した脈拍、血中酸素濃度計測部１２５で計測した血中酸素濃度、心電計測部１２７で計測した心電図、相対血圧変動計測部１２９で計測した相対血圧変動）を、適宜、表示する。また、表示部１３５は、位置情報取得部１３３から取得した使用者の現在の位置情報を、適宜、表示する。さらに、表示部１３５は、健康情報、位置情報以外に、現在の時間等の情報を、適宜、表示する。表示部１３５としては、例えば液晶表示装置（ＬＣＤ）を用いることができる。
【００５８】
１３．電源部１３７
電源部１３７は、回路部Ｃの各要素に電源を供給する。電源部１３７としては、例えばボタン電池を利用することができる。
【００５９】
１４．主制御部１３９
主制御部１３９は、回路部Ｃの各要素の動作を制御する。主制御部１３９は、例えば、予め設定された時間になったと判断すると、体温計測部１２１から体温を、脈拍計測部１２３から脈拍を、血中酸素濃度計測部１２５から血中酸素濃度を、心電計測部１２７から心電図を、相対血圧変動計測部１２９から相対血圧変動を、それぞれ健康情報として取得する。そして、主制御部１３９は、取得した健康情報を、位置情報取得部１３３を介して取得した現在位置及び認証情報と関連付けた使用者状態情報として所定の記憶部に記憶する。
【００６０】
また、主制御部１３９は、予め設定された所定の時間又は使用者からの命令によって、記憶部に記憶している使用者状態情報を、無線通信部１３１を介して外部に送信する。
【００６１】
さらに、主制御部１３９は、予め設定された所定の時間又は使用者からの命令によって、記憶部に記憶している使用者状態情報から所定の健康情報を取得し、表示部１３５に表示する。
【００６２】
［他の実施例］
（１）相対血圧変動計測部１２９：前述の実施例１においては、相対血圧変動計測部１２９は、受光部１１３を介して取得する反射光の情報に基づいて脈波を取得するとしたが、図５に示すように、脈波センサ１２９ａを所定の位置に配置し、脈波センサ１２９ａを介して脈波を取得するようにしてもよい。図５の場合、筐体部１０１の表面に脈波センサ用開口Ａ１０９が形成される。
【００６３】
（２）装着位置：前述の実施例１においては、バイタルセンサ１００を使用者の手首に装着するとしたが、使用者の生体情報及び健康情報を、常時、取得できる位置であれば、例示のものに限定されない。
【００６４】
（３）認証：前述の実施例１においては、認証部１５１は、使用者の静脈パターンを用いて認証するとしたが、使用者を認証できるものであれば例示のものに限定されない。例えば、使用者の脈拍や心電図を用いて認証するようにしてもよい。また、静脈パターンを用いた認証と重複して適用するようにしてもよい。これにより、より強固なセキュリティを実現することができる。
【００６５】
（４）その他の通信手段：前述の実施例１において、さらに、直接的に又は間接的に電話回線と接続するための電話回線接続手段を配置するようにしてもよい。これにより、使用者の健康状態等から緊急であると判断した場合に、使用者と連絡をとることができる。また、緊急時に、使用者からの問い合わせの電話を受けることができる。
【００６６】
なお、電話回線接続手段は、一般的な通話機能を実現する通話手段を有している。さらに、通話手段として、例えば、携帯電話用のハンズフリー機能を有するものを用いるようにしてもよい。これにより、緊急時などに自動あるいは手動で電話回線接続手段を介して電話をかけることができる。また、電話回線接続手段から人工合成音声を用いて緊急事態を伝えるようにしてもよい。これにより、使用者の状態にかかわらず、確実に緊急状態を伝えることができる。
【００６７】
さらに、バイタルセンサ１００の認証部１１５において使用者を認証できた場合に、無線通信部１３１を介して携帯電話やパソコン等の周辺機器の利用を可能とするセキュリティ情報を周辺機器に提供するようにしてもよい。これにより、使用者が認証されない限り、電話回線接続手段を利用できない状態から利用できる状態とできない等、いわゆる周辺機器に対するセキュリティ機能を実現することができる。
【００６８】
（５）他の健康情報取得装置との通信：前述の実施例１において、さらに、使用者に関する使用者状態情報を、他の健康情報取得装置から取得し、又は、他の健康情報取得装置へ提供する状態情報取得提供手段を配置するようにしてもよい。これにより、例えば体重計や体脂肪計と通信することができ、所定状態において「体重計に乗りなさい」といった所定の指示を提供したり、体重計からの情報を取得したりすることができる。さらに、データベースに基づく体重管理、必要に応じて食事制限等の指示を提供することができる。
【００６９】
また、使用者に関する使用者状態情報を、ペースメーカ等、使用者の体内に配置される、健康情報取得装置であるインプラント・デバイスから取得し、又は、インプラント・デバイスへ提供する状態情報取得提供手段を配置するようにしてもよい。
【００７０】
さらに、脳波測定装置等、使用者が体に装着する健康情報取得装置から、使用者状態情報を取得し、また、提供するようにしてもよい。
【００７１】
さらに、就寝者監視機能付きベッド、在室監視センサ等、部屋内に存在する人物を監視する装置からの監視情報を、バイタルセンサ１００が受信できるようにすれば、バイタルセンサ１００を取り外した状態であっても、バイタルセンサ１００を介してそれぞれの装置からの情報を遠隔監視システムで受信することができる。これにより、健康情報及び監視情報を用いた総合的な遠隔監視が可能となる。
【００７２】
（６）バイタルセンサ１００を外した状態の認識：前述の実施例１では、バイタルセンサ１００は、認証部１１５を有しており、使用者が装着したときのみ各機能が有効となる。つまり、使用者が、バイタルセンサ１００を装着していたに場合には、当然ながら各機能は停止状態となる。一方、使用者が、就寝時等、意図的にバイタルセンサ１００を取り外す状態が発生し得る。そこで、バイタルセンサ１００が、装着が外されたと判断すると、自動的に無線通信部１３１を介して、所定の遠隔監視システムに、装着が外された状態にあることを知らせるようにしてもよい。これにより、使用者がバイタルセンサ１００を取り外した状態にある事を遠隔から監視することができる。
【００７３】
遠隔監視システムとして、就寝者監視機能付きベッドあるいは在室監視センサを設置する等、部屋内に存在する人物を監視するシステムを用いれば、バイタルセンサ１００を取り外した状態の使用者を監視することができる。例えば、高齢者が本装置を外したまま徘徊等で外出すると、バイタルセンサ１００を取り外した状態で部屋を退出したという状態をシステムが把握できるため、場合によっては、いち早い使用者の捜索に着手できる。
【００７４】
さらに、バイタルセンサ１００や、使用者がバイタルセンサ１００を取り外した際にバイタルセンサ１００を充電するための充電器に、電波センサや熱線センサ等、所定領域、例えば部屋内やベッド上、に存在する人体を監視する人体監視センサを配置するようにしてもよい。これにより、バイタルセンサ１００を取り外した状態であっても、所定領域に存在する使用者を継続して監視することができる。
【００７５】
さらに、バイタルセンサ１００に電波センサを配置することによって、バイタルセンサ１００から離れた場所にいる使用者の拍動やベッドの中での動きを補足することができる。これにより、使用者がバイタルセンサ１００を取り外した使用者であっても、監視することができる。
（７）電源部：実施例では装置用の電源としてボタン電池の利用を記載したが、その他の方法も用いる事が出来る。腕から外した際に電力給電するボード上に置くだけで給電を行うことで毎日電池切れを意識することなく利用出来る。あるは利用者が装置を装着した腕を頻繁に置く机を電力給電出来る机にする等の利用方法も考えられる。
【００７６】
これらの様な充電式電源の場合、内部バッテリーが一週間程連続動作出来る状態で２〜３日充電が出来ていなければ、注意を促すあるいは遠隔監視にその状態を伝えるなどで運用方法を周知徹底されずに電池が切れる不具合を避けることが出来る。
【００７７】
また、例えば光や熱、振動などの環境エネルギーを利用する環境発電を利用しても良いし、利用者が装置を装着したままの状態で、利用者が存在する空間内あるいはベッド等に電力伝送する送電手段を設けて、常に装置が受電する方法なども考えられる。
【００７８】
さらに、ＬＥＤ電灯Ｌ１〜ＬＥＤ電灯Ｌ５が発する光を受光し、光発電する電源部を配置するようにしてもよい。この場合、屋内測位部１３３ｎ、電源部としても機能するようにしてもよい。
【００７９】
（８）屋内測位部：前述の実施例１においては、位置情報取得部１３３は、屋内測位部１３３ｎがＬＥＤ電灯からの所定のパルス光を受光することによって、使用者の屋内での位置を特定するものとしたが、屋内における使用者の位置を特定できるものであれば、例示のものに限定されない。例えば、屋外で使用されているＧＰＳを、屋内に適用するようにしもよい。
【００８０】
（９）位置情報取得部：前述の実施例１においては、位置情報取得部１３３は、ＧＰＳ部１３３ｇ及び屋内測位部１３３ｎを有し、使用者の比較的詳細な位置を特定することとしたが、例示のものに限定されない。例えば、バイタルセンサの使用形態によっては、使用者の屋内から屋外への移動を位置情報として取得するようにしてもよい。この場合、例えば、バイタルセンサ１００に簡易的にＲＦＩＤ等の電子タグを、玄関等にＲＦＩＤリーダーを、それぞれ配置し、使用者が玄関等を出入りしたことが検知・認識できるようにすればよい。
【００８１】
また、玄関の開閉信号や屋内配置の人体検知センサと組み合わせれば、装置を装着した状態での外出のみならず、装置を机の上に放置したままで外出したことも把握出来る。
【００８２】
（１０）ＨＭＤ（Head Mounted Display）への映像提供：前述の実施例１におけるバイタルセンサ１００において、さらに、使用者が使用するめがね等にＣＧ映像を供給する映像供給手段、うなずく等の人体の動作をＨＭＤ内に納めた加速度センサや地磁気センサ等の変化量から判断する人体動作判断手段、を配置し、必要に応じて緊急映像を提供することもできる。また、ＡＲ（アーティフィシャル・リアリティ）手段としてＨＭＤに映し出されている実際の映像に、移動方向等を示す矢印等の移動補助情報を合成する移動補助情報合成手段を配置するようにしてもよい。
【００８３】
（１１）異常状態通知：前述の実施例１において、さらに、脈拍計測部１２３等から取得した使用者状態情報から、異常な脈拍等、仕様者の危険な状態を判断すると、使用者に警告音やバイブレーション等の警告手段で知らせ、同時に無線通信部１３１を介して遠隔監視者に使用者が危険な状態にあることを通知するようにしてもよい。また、周囲の温度、空気の状態（酸素濃度の低下等）、放射線等の周囲環境を周囲環境情報として測定する周囲環境測定手段を配置し、測定した周囲環境情報から使用者が危険な環境にいることを警告手段を用いて、使用者や遠隔監視者に無線通信部１３１を介して通知するようにしてもよい。
【産業上の利用可能性】
【００８４】
本発明に係る装着型使用者状態情報取得装置は、例えば、高齢者の健康や行動を遠隔からでも管理することができる見守りシステムとして利用することができる。
【符号の説明】
【００８５】
１００    バイタルセンサ
１０１    筐体部
１０３    ベルト部
１１１    投光部
１１３    受光部
１１５    認証部
１２１    体温計測部
１２３    脈拍計測計部
１２５    血中酸素濃度計測部
１２７    心電計測部
１２９    相対血圧変動計測部
１３１    無線通信部
１３３    位置情報取得部
１３３ｇ  ＧＰＳ部
１３３ｎ  屋内測位部
１３５    表示部
１３７    電源部
１３９    主制御部
【図１】
0006027716.tif 000002
【図２】
0006027716.tif 000003
【図３】
0006027716.tif 000004
【図４】
0006027716.tif 000005
【図５】
0006027716.tif 000006
【図６】
0006027716.tif 000007